(57)【要約】  システムは、容器および当該容器へのヒンジアクセスドアを含む薬剤アドヒランスケース内に収容されるスマートフォンと、医療アドヒランスサーバを含むコンテンツデータネットワーク（ＣＤＮ）へスマートフォンを接続するワイヤレスネットワークと、ヒンジアクセスドアが開かれたことを示す、ヒンジアクセスドアに備わる通信デバイスから生成される信号を受信する際、医療アドヒランスサーバにおける医療アドヒランスプロセスへデータを送信する、スマートフォンに存在するアプリケーションと、を含む。【選択図】図１
2017526425.tif 000002
【特許請求の範囲】
【請求項１】
貯蔵所および当該貯蔵所へのヒンジアクセスドアを含む薬剤アドヒランスケース内に収容されるスマートフォンと、
医療アドヒランスサーバを含むコンテンツデータネットワーク（ＣＤＮ）に前記スマートフォンをリンクするワイヤレスネットワークと、
前記ヒンジアクセスドアが開放されたことを示す、前記ヒンジアクセスドアに備わる通信デバイスから生成される信号を受信すると、前記医療アドヒランスサーバの医療アドヒランスプロセスへデータを送信する、前記スマートフォンに存在するアプリケーションと、
を含むシステム。
【請求項２】
前記通信デバイスが、前記ヒンジアクセスドアの開放および閉鎖を検出するように構成されるセンサを含む、請求項１に記載のシステム。
【請求項３】
前記信号が、近距離無線通信（ＮＦＣ）、Ｒａｄｉｏ  Ｆｒｅｑｕｅｎｃｙ  Ｉｄｅｎｔｉｆｉｃａｔｉｏｎ（ＲＦＩＤ）信号またはローカルエリア無線通信（ＷｉＦｉ）信号である、請求項２に記載のシステム。
【請求項４】
前記薬剤アドヒランスケースが、保護材料から作られる、請求項１に記載のシステム。
【請求項５】
前記貯蔵所が、錠剤の貯蔵を収容するように構成される、請求項１に記載のシステム。
【請求項６】
前記データが、日付、時間、身体活動、およびユーザ心拍数の１つまたは複数を含む、請求項１に記載のシステム。
【請求項７】
前記スマートフォンに存在する前記アプリケーションが、前記スマートフォンのユーザに対して時間のリマインダーを生成する、請求項１に記載のシステム。
【請求項８】
前記医療アドヒランスプロセスが、前記データを分析し、１つまたは複数のレポートを生成する、請求項１に記載のシステム。
【請求項９】
貯蔵所および回転分配デバイスを含む薬剤アドヒランスケースに収容されるスマートフォンと、
前記回転分配デバイスの動きを検出して、前記回転分配デバイスが回転されたことを示す信号を前記スマートフォンに存在するアプリケーションへ送信するように構成される、前記回転分配デバイス内のセンサと、
を含むシステム。
【請求項１０】
前記回転分配デバイスの動きが、１つの錠剤を分配する、請求項９に記載のシステム。
【請求項１１】
薬剤アドヒランスケース内に収容されるスマートフォンであって、前記薬剤アドヒランスケースがシリンジ貯蔵所および当該シリンジ貯蔵所への分配デバイスを含み、前記分配デバイスが少なくともリリースボタンおよびリリースドアを含む、前記スマートフォンと、
前記リリースドアの動きを検出して、前記リリースドアが開放または閉鎖されたことを示す信号を前記スマートフォンに存在するアプリケーションへ送信するように構成される、前記リリースドアにおけるセンサと、
を含むシステム。
【請求項１２】
液体貯蔵所および当該液体貯蔵所に取り付けられる制御バルブを含む薬剤アドヒランスケース内に収容されるスマートフォンと、
前記液体貯蔵所から制御バルブを介しての液体の動きを検出して、前記スマートフォンに存在するアプリケーションへ信号を送信するように構成される、前記制御バルブにおけるセンサと、
を含むシステム。
【請求項１３】
少なくともディスプレイ、プロセッサおよびメモリを含むスマートフォンにおいて、スマートフォン上に薬剤デリバリアラートを表示することと、
薬剤デリバリを示す信号を受信することであって、当該信号が、前記スマートフォンを囲むスマートフォンケースに収容される貯蔵所の開放に際して、通信デバイスから生成される、前記受信することと、
前記信号のタイムスタンプを含む記録を、他の情報と共に格納することと、
コンテンツデータネットワークに存在するサーバへ前記記録を送信し、受信された記録を処理すること、
を含む方法。
【請求項１４】
前記薬剤デリバリが、錠剤、液体およびシリンジから成るグループから選択される、請求項１４に記載の方法。
【請求項１５】
前記開放が、錠剤容器、回転分配デバイスまたは液体容器の１つに対するものである、請求項１４に記載の方法。
【請求項１６】
前記処理が、アドヒランスの欠如またはアドヒランスの遵守を示すレポートを分析および作成することを含む、請求項１４に記載の方法。
【発明の詳細な説明】
【技術分野】
【０００１】
関連出願の相互参照
本出願は、２０１４年８月６日に出願された、米国仮特許出願番号第６２／０３３９４７号の優先権を主張するものであり、その全体の内容が本明細書に組み込まれる。
【０００２】
本発明は、一般に、医療アドヒランスに関し、より詳細には薬剤分配電話ケースに関する。
【背景技術】
【０００３】
一般に、薬剤アドヒランス（ｍｅｄｉｃａｔｉｏｎ  ａｄｈｅｒｅｎｃｅ）は、通常、患者が、処方された自身の薬剤を（例えば１日２回）服用するかどうか、および、患者が、処方された薬剤を服用し続けるかどうかに関する。薬剤非アドヒランス（ｎｏｎ−ａｄｈｅｒｅｎｃｅ）は、それが蔓延しており、また、健康管理の不利益な結果や更なるコストに関連するという証拠が蓄積されているので、臨床医、医療システム、および他の利害関係者（例えば、支払者）のにとって、増大する関心事である。今日まで、患者の薬剤アドヒランスの測定およびアドヒランスを改善するための介入の使用は、日々の臨床において稀である。
【発明の概要】
【０００４】
以下は、本明細書において説明される革新の簡単な概要を提供するものである。この概要は、本発明の広範な概略ではない。以下は、本発明の重要または必要不可欠な要素を特定するものでなく、また、本発明の範囲を表すものでもない。その唯一の目的は、後述されるより詳細な説明に対する前置きとして、簡単な形で本発明のいくつかの概念を提供することである。
【０００５】
本発明は、一般に、医療アドヒランスに関し、より詳細には、薬剤分配電話ケースに関する。
【０００６】
１つの態様において、本発明は、貯蔵所および当該貯蔵所へのヒンジアクセスドアを含む薬剤アドヒランスケース内に収容されるスマートフォンと、薬剤アドヒランスサーバを含むコンテンツデータネットワーク（ＣＤＮ）へスマートフォンをリンクするワイヤレスネットワークと、ヒンジアクセスドアが開放されたことを示す、ヒンジアクセスドアに備わる通信デバイスから生成される信号を受信する際、医療アドヒランスサーバにおける医療アドヒランスプロセスへデータを送信する、スマートフォンに存在するアプリケーションと、を含むシステムを特徴とする。
【０００７】
別の態様において、本発明は、貯蔵所および回転分配デバイスを含む薬剤アドヒランスケース内に収容されるスマートフォンと、回転分配デバイスの動きを検出して、回転分配デバイスが回転されたことを示す信号をスマートフォンに存在するアプリケーションへ送信するように構成される、回転分配デバイスにおけるセンサと、を含むシステムを特徴とする。
【０００８】
別の態様において、本発明は、薬剤アドヒランスケース内に収容されるスマートフォンであって、当該薬剤アドヒランスケースがシリンジ貯蔵所および当該シリンジ貯蔵所への分配デバイスを含み、当該分配デバイスがリリースボタンおよびリリースドアを少なくとも含む、スマートフォンと、リリースドアの動きを検出して、リリースドアが開放または閉鎖されたことを示す信号を、スマートフォンに存在するアプリケーションへ送信するように構成される、リリースドアにおけるセンサと、を含むシステムを特徴とする。
【０００９】
別の態様において、本発明は、液体貯蔵所および当該液体貯蔵所に取り付けられる制御バルブを含む薬剤アドヒランスケース内に収容されるスマートフォンと、液体貯蔵所から制御バルブを介した液体の動きを検出して、スマートフォンに存在するアプリケーションへ信号を送信するように構成される、制御バルブにおけるセンサと、を含むシステムを特徴とする。
【００１０】
別の態様において、本発明は、少なくともディスプレイ、プロセッサおよびメモリを含むスマートフォンにおいて、スマートフォン上に薬剤デリバリアラートを表示することと、スマートフォンを囲むスマートフォンケースに収容される貯蔵所の開放に際して、通信デバイスから生成される、薬剤デリバリを示す信号を受信することと、他の情報と共に信号のタイムスタンプを含む記録を記憶することと、受信した記録を処理するためコンテンツデータネットワークに存在するサーバへ記録を送信すること、を含む方法を特徴とする。
【００１１】
これらおよび他の特徴および利点が、以下の詳細な説明を読み、添付の図面を検討することによって明らかとなろう。前述の概略的な説明および後述の詳細な説明の双方が例示的なものに過ぎず、請求される態様を限定しないことを理解すべきである。
【図面の簡単な説明】
【００１２】
本発明の特徴および利点は、添付の図面と関連して後述の説明から明らかである。
【００１３】
【図１】例示的な薬剤アドヒランスシステムの第１の実施形態の図である。
【００１４】
【図２】例示的な薬剤アドヒランスケースを含むスマートフォンの第２の実施形態の図である。
【００１５】
【図３】例示的な薬剤アドヒランスケースを含むスマートフォンの第３の実施形態の図である。
【００１６】
【図４】例示的な薬剤アドヒランスケースを含むスマートフォンの第４の実施形態の図である。
【００１７】
【図５】フロー図である。
【発明を実施するための形態】
【００１８】
主題の革新技術が図面を参照して次に説明される。図面において、同様の参照数字は、全体を通して同様の要素を参照するのに使用される。後述の説明において、説明目的のため、多数の具体的な詳細が本発明の十分な理解を提供するために述べられる。しかし、本発明が、これらの具体的な詳細なしで実施されてもよいことは明らかである。他の例において、よく知られた構造およびデバイスが、本発明を説明するのを促進するため、ブロック図の形で示される。
【００１９】
薬剤アドヒランスは現代のヘルスケアシステムの最も重要な健康上の課題の１つである。患者は、自身の薬剤を服用するように動機付けされる必要があり、薬剤に簡単にアクセスできる必要があり、また、薬を服用する時を慎重に覚えておく必要がある。同時に、スマートフォン（すなわち、典型的に、比較的大きな画面および汎用アプリケーションを実行可能なオペレーティングシステムを有する、コンピュータの機能の多くを実行可能な携帯電話）は、私たちがどのようにコミュニケーションするかを変化させ、イベントを記憶し、一日中、私たちに携帯される。本発明は、スマートフォンに入れられ、ユーザの薬剤を調剤する、接続された医療分配ケースである。
【００２０】
図１に示されるように、例示的な薬剤アドヒランスシステム１０の第１の実施形態は、例示的な薬剤アドヒランスケース２０内に収容されるスマートフォン１５を含む。薬剤アドヒランスケース２０は、高分子材料または個体材料などの任意の適切な保護材料から製造されてよく、容器２５（例えば、ピルボックス）およびヒンジされたアクセスドア３０を含む。図１に示される実施形態において、容器２５は、ピルの形の固形薬剤の貯蔵庫を収容するように設計される。
【００２１】
薬剤アドヒランスシステム１０はまた、コンテンツデータネットワーク（ＣＤＮ）４０に接続されるセルラーネットワーク３５を含む。ＣＤＮは、薬剤アドヒランスサーバ４５を含む。医療アドヒランスサーバ４５は、プロセッサ５０およびメモリ５５を含む。メモリ５５は、ＷｉｎｄｏｗｓまたはＬｉｎｕｘなどのオペレーティングシステム６０および後述する薬剤アドヒランスプロセス４００を少なくとも含む。
【００２２】
ヒンジアクセスドアは、スマートフォン１５のメモリ内に存在するアプリケーション（アプリ、ａｐｐ）６７と通信する通信デバイス６５を含む。通信デバイス６５は、近距離無線通信（ＮＦＣ）、Ｒａｄｉｏ  Ｆｒｅｑｕｅｎｃｙ  Ｉｄｅｎｔｉｆｉｃａｔｉｏｎ（ＲＦＩＤ）またはローカルエリア無線通信（ＷｉＦｉ）など、スマートフォンにおけるアプリ６７と通信するための任意の通信技術の１つと、ヒンジアクセスドア３０の動きを検出することが可能とされるセンサとを使用してよい。
【００２３】
ヒンジアクセスドア３０が開放されると、センサがそうした動きを検出し、通信デバイス６５が、スマートフォンに存在するアプリ６７に、ヒンジアクセスドア３０の開放を示す信号を送信する。ヒンジアクセスドア３０が、開放された後に閉鎖されると、センサがそうした動きを検出し、通信デバイス３５が、スマートフォンに存在するアプリ６７に、ヒンジアクセスドア３０の閉鎖を示す信号を送信する。センサにより検出されるヒンジアクセスドア３０の開放および閉鎖の動作は、追加の情報と共にスマートフォン１５のメモリに記録され、容器２５にある１つまたは複数の錠剤の分配を示す。追加の情報は、日付、時間、身体活動、ユーザ心拍数等の１つまたは複数を含んでよい。
【００２４】
アプリ６７は、容器２５における錠剤を服用する時間であるというリマインダー指示をユーザに対し発生させるようプログラムされてよい。当該指示は、聴覚および／または視覚的な合図を含んでよい。実施形態において、アプリ６７は、例えば、リマインダーアラートを設定可能なインタラクティブなグラフィカルユーザインターフェース（ＧＵＩ）をユーザに提供してよい。
【００２５】
一旦、錠剤が調剤されると、アプリ６７は、ヒンジアクセスドア３０の動作および／または追加の情報を記憶してよく、および／または、スマートフォン１５から薬剤アドヒランスプロセス４００へ、セルラーネットワーク３５およびＣＤＮ４０を介して周期的に通信してよい。これらの動作により、薬剤アドヒランスプロセス４００は、患者が自身の薬剤を服用したかどうか、および遵守のレベルを追跡することが可能となる。さらに、患者が自身の薬剤を服用する時の情報が、その後、患者の個人的な医療アドヒランスおよび全般的な患者の挙動を理解し、それへの洞察を得るために分析されてもよい。さらに、報告は、薬剤アドヒランスプロセス４００により発生されてもよく、アドヒランスの欠如またはアドヒランスの遵守を示すリマインダーが、例えば、ＥメールまたはＳＭＳのテキストメッセージを介してスマートフォン１５へ送信されてもよい。これらのメッセージは、ユーザの遵守および挙動を強化するように機能し得る。
【００２６】
図２に示されるように、第２の実施形態は、容器１１０および回転分配デバイス１１５を有する例示的な薬剤アドヒランスケース１０５を含むスマートフォン１００を含む。ここで再び、容器１１０は、錠剤の形で固形薬剤の貯蔵庫を収容するように設計される。回転分配デバイス１１５は、回転すると、容器１１０から１つの錠剤を提供する。回転分配デバイス１１５に収容されるセンサ１２０は、回転を検出し、例えば、近距離無線通信（ＮＦＣ）、Ｒａｄｉｏ  Ｆｒｅｑｕｅｎｃｙ  Ｉｄｅｎｔｉｆｉｃａｔｉｏｎ（ＲＦＩＤ）またはローカルエリア無線通信（ＷｉＦｉ）などの通信技術を介して、アプリ６７に信号を送る。
【００２７】
ここで再び、一旦、錠剤がセンサ１２０により示されるように分配されると、アプリ６７は、動作および／または追加の情報を記憶してよく、および／または、スマートフォン１５から薬剤アドヒランスプロセス４００へ、セルラーネットワーク３５およびＣＤＮ４０を介して周期的に通信してよい。
【００２８】
図３に示されるように、第３の実施形態は、容器２１０および分配デバイス２１５を有する例示的な薬剤アドヒランスケース２０５を含むスマートフォン２００を含む。この実施形態において、容器２１０は、使い捨てのシリンジ（注射器）を含み、分配デバイス２１５は、リリースボタン２２０およびリリースドア２２５を含む。リリースボタン２２０を押すとリリースドア２２５が開放され、容器２１０から１つの使い捨てのシリンジが提供される。リリースドア２２５は、リリースドア２２５の開放および閉鎖を検出するように構成されるセンサ２３０を含む。リリースドア２２が開放される度に、センサ２３０は、信号をアプリ６７に送信する。本実施例では、アプリ６７は、容器２１０から使い捨てのシリンジを取得するためにリリースドア２２５を開放するように、リリースボタン２２０を押す時間であることを、視覚的および／または聴覚的なインジケータを介して、ユーザに警告するように構成されてよい。
【００２９】
再び、一旦、シリンジがセンサ２３０により示される通り分配されると、アプリ６７は、動作および／または追加の情報を記憶してよく、および／または、スマートフォン１５から薬剤アドヒランスプロセス４００へ、セルラーネットワーク３５およびＣＤＮ４０を介して周期的に通信してよい。
【００３０】
図４に示されるように、第４の実施形態は、液体薬剤を包含するように構成される容器３１０を有する例示的な薬剤アドヒランスケース３０５を含むスマートフォン３００を含む。容器３１０は、一方向バルブ３１５を含み、容器３１０がユーザによって握られるとき、一方向バルブ３１５は、液体薬剤を、容器３１０から計測しながら供給させることを可能とする。一方向バルブ３１５は、流量を検出するように構成されるセンサ３２０を含む。液体薬剤が一方向バルブ３１５を介して流れる度に、センサ３２０は、事象の信号をアプリ６７へ送信する。一旦、液体がセンサ３２０により指示される通り分配されると、アプリ６７は、動作および／または追加の情報を記憶してよく、および／または、スマートフォン１５から薬剤アドヒランスプロセス４００へ、セルラーネットワーク３５およびＣＤＮ４０を介して周期的に通信してよい。
【００３１】
他の実施形態は、隔離されたエピシリンジ（ｓｅｑｕｅｓｔｅｒｅｄ  ｅｐｉ−ｓｙｒｉｎｇｅ）および囲われたニードルを有するスマートフォンケースを含むエピフネリンを含んでもよい。
【００３２】
図５に示されるように、薬剤アドヒランスプロセス４００は、薬剤デリバリアラートをスマートフォンに表示すること（４０５）を含む。
【００３３】
プロセスは、薬剤デリバリを示す信号を受信し（４１０）、当該信号は、スマートフォンを囲うスマートフォンケースに保持される容器の開放により発生される。
【００３４】
プロセス４００は、他の情報と共に、信号のタイムスタンプを含む記録を記憶する（４１５）。
【００３５】
プロセス４００は、コンテンツデータネットワークに存在するサーバへ記録を送信する（４２０）。
【００３６】
プロセス４４０は、受信された記録を処理する（４３０）。
【００３７】
本発明の要素または本発明の実施形態を紹介する際の、冠詞「ａ」、「ａｎ」、および「ｔｈｅ」は、１つまたは複数の要素があることを意味すると意図される。同様に、要素を紹介するのに使用される形容詞「別の（ａｎｏｔｈｅｒ）」は、１つまたは複数の要素を意味すると意図される。用語「を含む（ｉｎｃｌｕｄｉｎｇ）」および「有する（ｈａｖｉｎｇ）」は、列挙された要素以外の追加の要素があってもよいように、包括的であることが意図される。
【００３８】
本発明が例示的な実施形態を参照して説明されたが、本発明の範囲から逸脱することなく、様々な変更が成されてよく、また、等価物が本発明の要素と置換されてもよいことが当業者に理解されよう。従って、明確に限定する記述は、単に特定の実施形態に関して成されたものであり、本発明を限定しない。また、本発明の必須の範囲から逸脱することなく、特定の機器、状況または材料を本発明の教示に適用するため、多くの修正が、当業者に理解されよう。それゆえ、本発明は、本発明を実施するために熟考された最良の形態として開示される特定の実施形態に限定されることは意図されず、むしろ、本発明は、添付の特許請求の範囲にあるすべての実施形態を含むことが意図される。
【図１】
2017526425.tif 000003
【図２】
2017526425.tif 000004
【図３】
2017526425.tif 000005
【図４】
2017526425.tif 000006
【図５】
2017526425.tif 000007
【国際調査報告】
2017526425.tif 000008
2017526425.tif 000009
2017526425.tif 000010